(57)【要約】【課題】歩行中でも進行方向に対する注意を保ちつつ、安全に画面の閲覧や操作が可能な携帯端末、および携帯端末の制御方法を提供する。【解決手段】主表示部１６の電子メールなどが表示された領域Ｅ２の近傍に、使用者の進行方向を撮像した動画をリアルタイムで表示（動画表示領域Ｅ１）し続ければ、使用者が進行方向に対して俯いて歩行しても、進行方向に対する注意を保ちつつ、安全に画面の閲覧、および操作が可能となる。【選択図】図１
2010109711.tif 000002
【特許請求の範囲】
【請求項１】
筐体と、該筐体に形成された表示手段および撮像手段と、該撮像手段の光軸上に出退可能に形成され、前記撮像手段の光軸を屈折させる反射手段と、を備えたことを特徴とする携帯端末。
【請求項２】
前記表示手段は、前記筐体の一面と他面に向けてそれぞれ表示面を有する主表示部と副表示部とからなり、前記反射手段は半透過ミラーを備えるとともに、前記副表示部を覆う位置と、前記撮像手段の光軸上に進出した位置との間で移動可能に取り付けられていることを特徴とする請求項１記載の携帯端末。
【請求項３】
前記主表示部は、表示領域の少なくとも一部に、前記反射手段を介して前記撮像手段に入射した画像を表示することを特徴とする請求項１または２記載の携帯端末。
【請求項４】
前記筐体の振動を検出する振動検出手段を更に備え、前記主表示部は、前記振動検出手段によって振動が検出された際に、前記反射手段を前記撮像手段の光軸上に進出した位置にするよう促す表示をさせることを特徴とする請求項１ないし３いずれか１項記載の携帯端末。
【請求項５】
前記反射手段の位置を検出する位置検出手段を更に備えたことを特徴とする請求項１ないし４いずれか１項記載の携帯端末。
【請求項６】
筐体と、表示手段と、撮像手段と、該撮像手段の光軸上に出退可能に形成され、前記撮像手段の光軸を屈折させる反射手段と、前記筐体の振動を検出する振動検出手段と、前記反射手段の位置を検出する位置検出手段とを有する携帯端末の制御方法であって、
前記携帯端末の操作時に、前記筐体の振動を前記振動検出手段によって検出する工程と、
前記筐体の振動検出時に、前記反射手段を前記撮像手段の光軸上に進出させるよう促す表示を前記表示手段にさせる工程と、
前記反射手段を介して前記撮像手段に入射した画像を前記表示手段に表示させる工程と、
を少なくとも備えたこと特徴とする携帯端末の制御方法。
【請求項７】
前記携帯端末の操作終了時に、前記反射手段を前記撮像手段の光軸上から退出した位置に移動させるよう促す表示を前記表示手段にさせる工程と、
前記反射手段の位置を前記位置検出手段によって検出し、前記反射手段の位置に応じて前記表示を消去する工程と、
を更に備えたこと特徴とする請求項６記載の携帯端末の制御方法。
【発明の詳細な説明】
【技術分野】
【０００１】
本発明は、携帯電話やＰＨＳ（Personal Handy-phone System）などに代表される携帯端末、および携帯端末の制御方法に関し、詳しくは、歩行中でも安全に操作を行うことが可能な技術に関する。
【背景技術】
【０００２】
携帯電話やＰＨＳなどの携帯端末は、音声による通話とともに、電子メールの送受信やインターネット上でのＷｅｂ画面の閲覧などにも利用されている。こうした携帯端末の大きな特徴である、移動中でも通信可能な特性を利用して、例えば、歩行中にメールの作成操作やＷｅｂ画面の閲覧を行うといった事例も増えている。
【０００３】
しかし、歩行中にメールの作成やＷｅｂ画面の閲覧を行うと、使用者は携帯端末の画面を見ることに意識が集中してしまい、進行方向の前方に対して注意が疎かになる虞がある。例えば、歩行中に携帯端末の画面を見ながら電子メールの作成操作を行っていたために、対向してくる歩行者が接近するまで気が付かないといった事例が挙げられる。
【０００４】
このように、歩行中に携帯端末の操作を行った場合でも、進行方向の前方に対して意識が疎かになることを防止するために、例えば、携帯端末に内蔵された撮像手段、例えばＣＣＤカメラを利用して、前方を撮像するということが考えられる。
【０００５】
しかしながら、携帯端末に内蔵された撮像手段は、多くの場合、筐体の表面に対して垂直な方向に光軸が延びるように固定されている。このため、歩行中に携帯端末の画面を見下ろしながら操作する際に、使用者が携帯端末を自然に把持する角度、即ち地面に対して斜め上方に向いた状態では、撮像手段の光軸は進行方向の斜め下向きの地面を撮像する角度となってしまう。
【０００６】
携帯端末の筐体の向きに対して撮像方向を変えるものとして、例えば、撮像手段を筐体に対して回動自在に形成し、筐体全体を撮像方向に向けなくても、撮像手段の光軸だけを撮像方向に回転させることが可能な携帯端末が知られている（例えば、特許文献１参照）。また、内蔵した撮像手段の光軸を直接、目的とする撮像方向に向けなくても、筐体の長手方向の撮像を可能にする携帯端末も知られている（例えば、特許文献２参照）。
【特許文献１】特開２０００−２５３１２４号公報
【特許文献２】特開２００４−８０１４７号公報
【発明の開示】
【発明が解決しようとする課題】
【０００７】
しかしながら、特許文献１に示したような携帯端末は、撮像手段を筐体に対して回転可能にするために、回転軸に可動接点を設けたり、あるいはフレキシブルなリード線を用いた配線を行う必要があるなど、構造が複雑となり製造コストが高いという課題があった。
【０００８】
また、特許文献２に示したような携帯端末は、単に携帯端末の長手方向に沿って載置した状態で、この長手方向の延長線上にある被写体を安定して撮像可能にするだけであり、携帯端末を水平面に対して斜めに把持した状態で、携帯端末の操作や画面を閲覧しつつ、使用者の前方を撮像することは困難である。
【０００９】
このため、歩行中でも進行方向に対する注意を保ちつつ、安全に画面の閲覧、および操作が可能な携帯端末が望まれていた。
【００１０】
本発明は上記課題を解決するためになされたものであり、歩行中でも進行方向に対する注意を保ちつつ、安全に画面の閲覧や操作が可能な携帯端末、および携帯端末の制御方法を提供する。
【課題を解決するための手段】
【００１１】
上記課題を解決するために、本発明は次のような携帯端末、および携帯端末の制御方法を提供する。
すなわち、本発明の携帯端末は、筐体と、該筐体に形成された表示手段および撮像手段と、該撮像手段の光軸上に出退可能に形成され、前記撮像手段の光軸を屈折させる反射手段と、を備えたことを特徴とする。
【００１２】
前記表示手段は、前記筐体の一面と他面に向けてそれぞれ表示面を有する主表示部と副表示部とからなり、前記反射手段は半透過ミラーを備えるとともに、前記副表示部を覆う位置と、前記撮像手段の光軸上に進出した位置との間で移動可能に取り付けられているのが好ましい。
【００１３】
前記主表示部は、表示領域の少なくとも一部に、前記反射手段を介して前記撮像手段に入射した画像を表示することが好ましい。
前記筐体の振動を検出する振動検出手段を更に備え、前記主表示部は、前記振動検出手段によって振動が検出された際に、前記反射手段を前記撮像手段の光軸上に進出した位置にするよう促す表示をさせることが好ましい。
前記反射手段の位置を検出する位置検出手段を更に備えるのが好ましい。
【００１４】
また、本発明の携帯端末の制御方法は、筐体と、表示手段と、撮像手段と、該撮像手段の光軸上に出退可能に形成され、前記撮像手段の光軸を屈折させる反射手段と、前記筐体の振動を検出する振動検出手段と、前記反射手段の位置を検出する位置検出手段とを有する携帯端末の制御方法であって、
前記携帯端末の操作時に、前記筐体の振動を前記振動検出手段によって検出する工程と、前記筐体の振動検出時に、前記反射手段を前記撮像手段の光軸上に進出させるよう促す表示を前記表示手段にさせる工程と、前記反射手段を介して前記撮像手段に入射した画像を前記表示手段に表示させる工程と、を少なくとも備えたこと特徴とする。
【００１５】
前記携帯端末の操作終了時に、前記反射手段を前記撮像手段の光軸上から退出した位置に移動させるよう促す表示を前記表示手段にさせる工程と、前記反射手段の位置を前記位置検出手段によって検出し、前記反射手段の位置に応じて前記表示を消去する工程と、を更に備えるのが好ましい。
【発明の効果】
【００１６】
本発明の携帯端末によれば、反射手段を撮像手段の光軸上に進出させることにより、撮像手段の光軸は、反射手段の表面で所定の角度で屈折（反射）させられる。これにより、撮像手段は、筐体の長手方向に対して所定の角度傾斜した方向の画像を撮像することが可能になる。撮像した画像を表示手段に連続した動画として表示させれば、例えば、使用者が歩行しながら携帯端末の画面閲覧や操作を行う際に、進行方向に対する注意を保つのに役立つ。使用者は進行方向に対する注意を保ちつつ、安全に携帯端末の画面の閲覧、および操作が可能となる。
【００１７】
また、本発明の携帯端末の制御方法によれば、使用者が歩行時に携帯端末を操作していることを検出し、使用者の進行方向の画像を画面に表示させるよう促し、確実に進行方向の画像を表示させるため、使用者が携帯端末の画面閲覧や操作など行いながら、進行方向に対して俯いて歩行したとしても、進行方向に対する注意を保ちつつ、安全に携帯端末の操作が可能となる。
【発明を実施するための最良の形態】
【００１８】
以下、本発明に係る携帯端末の一実施形態として、折り畳み式の携帯電話を例示し、図面に基づき説明する。本実施形態は発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１９】
図１は、本発明の携帯端末の一例である携帯電話の操作状態における外観斜視図である。また、図２は、図１の携帯電話を折り畳んだ待受状態における外観斜視図である。
携帯電話（携帯端末）１０は、表示側ケース１１と操作側ケース１２とがヒンジ１３によって回動可能に連結された筐体１４を備える。筐体１４は、例えば、全体が樹脂によって形成されていればよい。筐体１４には、表示手段３４が形成されている。表示手段３４は、主表示部１６と副表示部１７とからなる。表示側ケース１１の一面（内面）１１ａには、主表示部１６が表示面を露呈するよう形成されている。主表示部１６は、例えば、液晶ディスプレイあるいは有機ＥＬディスプレイ等の表示ユニットから構成されていれば良い。また、表示側ケース１１の端部には、受話用のスピーカー１５が設けられている。
【００２０】
表示側ケース１１の他面（外面）１１ｂには、副表示部１７が表示面を露呈するよう形成されている。副表示部１７は、主表示部１６よりも表示面積が小さいものであってもよい。副表示部１７は、例えば、液晶ディスプレイあるいは有機ＥＬディスプレイ等の表示ユニットから構成されていれば良い。また、副表示部１７の前面側（外面側）には、この副表示部１７を覆うように、反射ミラー（反射手段）１８が回動可能に形成されている。この反射ミラー１８については後ほど詳述する。また、反射ミラー１８に近接した位置に、反射ミラー１８を回動させるための操作ツマミ１９が形成されている。
【００２１】
更に、表示側ケース１１の他面（外面）１１ｂには、撮像素子（撮像手段）２１が形成されている。撮像素子２１は、例えば、ＣＣＤイメージセンサやＣＭＯＳイメージセンサから構成されていれば良い。また、撮像素子２１の前面側（外面側）には、この撮像素子２１を保護するための透明な保護カバー２２が固着されている。
【００２２】
一方、操作側ケース１２の一面（内面）１２ａには、通話キー、終話キー、数字キー等の押圧操作可能な複数の操作キー２５からなる操作パッド２６が形成されている。それぞれの操作キー２５は、例えば、透光性の樹脂材料に数字や文字等の機能表示が印刷されていればよい。また、操作側ケース１２の端部には、送話用のマイクロフォン２７が設けられている。
【００２３】
携帯電話（携帯端末）１０は、図１に示すように、表示側ケース１１と操作側ケース１２とが互いに離反するように開いた状態で操作、通話を行う（操作状態）。また、図２に示すように、表示側ケース１１の一面１１ａと操作側ケース１２の一面１２ａとが互いに対向するように重ね合わせられた状態で折畳み収納される（待受状態）。
【００２４】
携帯電話１０の主表示部１６は、図１に示す操作状態において、電子メール文章の表示や、撮像素子２１で撮像した画像の表示、および携帯電話１０の各種モードの表示を行う。一方、副表示部１７は、図２に示す待受状態において、時刻の表示や電子メールの着信の有無などを表示する。これにより、携帯電話１０の筐体１４を開いた状態（操作状態）にしなくても、時刻の確認や電子メールの着信確認等を行えるようにできる。なお、こうした主表示部１６や副表示部１７は、それぞれ個別の表示ユニットを用いてもよいが、それぞれの面を独立して制御できる両面表示型の表示ユニットを用いてもよい。
【００２５】
図３は、図１に示す携帯電話の電気的な構成の概要を示すブロック図である。
携帯電話（携帯端末）には、例えば、ＣＰＵ、ＩＣ、メモリ等から構成される制御部３１を備える。この制御部３１には、通信部３２、操作部３３、表示部（表示手段）３４が接続される。通信部３２は携帯電話１０と外部の基地局等との間で無線通信を行うための各種素子によって構成される。こうした通信部３２には、無線送受信を行うためのアンテナ３５が接続されていれば良い。
【００２６】
操作部３３は、例えば、複数の操作キー２５からなる操作パッド２６（図１参照）から構成されていれば良い。表示部（表示手段）３４は、例えば、主表示部１６（図１参照）や副表示部１７（図２参照）から構成されていれば良い。
【００２７】
また、制御部３１には、撮像部（撮像手段）３６や画像処理部３７、音声入出力部３８、振動検出部（振動検出手段）３９、位置検出部４１が接続される。撮像部（撮像手段）３６は、例えば、撮像素子２１（図２参照）であればよい。画像処理部３７は、撮像素子２１で得られた画像データの鏡象反転処理や歪み補正処理を行うＩＣなどから構成されていれば良い。音声入出力部３８は、例えば、スピーカ１５やマイクロフォン２７（図１参照）などから構成されていれば良い。
【００２８】
振動検出部（振動検出手段）３９は、筐体１４（図１参照）の内部に設けられ、筐体１４の振動状態、例えば、携帯電話１０の使用者が、携帯電話１０を把持したまま歩行する際に、筐体１４に伝わる振動を検出可能な加速度センサであればよい。位置検出部（位置検出手段）４１は、例えば、反射ミラー１８に近接して設けられ、反射ミラー１８の位置を検出するマイクロスイッチ５１であればよい。
【００２９】
図４は、図２に示す携帯電話の要部、即ち撮像素子や反射ミラーの形成された領域を示す拡大断面図である。撮像素子２１は、表示側ケース１１の他面（外面）１１ｂに対して垂直な方向に光軸Ｒ１が向くように、表示側ケース１１に取り付けられている。
【００３０】
一方、反射ミラー１８は、副表示部１７の一端付近でヒンジ１８ａによって回動可能に表示側ケース１１に取り付けられている。これにより、反射ミラー１８は、図４（ａ）に示すような、副表示部１７の前面を覆う位置（収納位置）と、図４（ｂ）に示すような、撮像素子２１の光軸Ｒ１上まで回動（進出）させた位置（展開位置）との間で移動可能にされる。なお、反射ミラー１８の撮像素子２１の光軸Ｒ１に対する交差角度は、展開位置において反射ミラー１８の一端と当接する表示側ケース１１の傾斜面Ｒの角度によって規定される。
【００３１】
反射ミラー１８は、例えば、ヒンジ１８ａに設けられたバネ（図示せず）によって、図４（ｂ）に示す展開位置に向けて付勢されていれば良い。また、操作ツマミ１９は、こうした展開位置に向けて付勢された反射ミラー１８を、収納位置で係止しておく構造であればよい。
【００３２】
これによって、図４（ａ）に示す収納位置ある反射ミラー１８は、操作ツマミ１９をスライド操作させることにより反射ミラー１８との係合が外れる。そして、付勢によって反射ミラー１８は、図４（ｂ）に示す展開位置まで移動する。なお、操作ツマミ１９の近傍には、反射ミラー１８の位置、即ち反射ミラー１８が収納位置あるか、または展開位置にあるかを検知するマイクロスイッチ５１（位置検出手段）が設けられている。
【００３３】
反射ミラー１８は、例えば、半透過ミラー（ビームスプリッター）から構成されている。これによって、反射ミラー１８に入射した光Ｌ１はその一部が透過光Ｌ２として透過すると共に、残りが反射光Ｌ３として反射ミラー１８の表面Ｐで所定の角度で反射される。こうした反射ミラー１８は、全体が半透過性を有する板状部材であっても、また、透明な板状部材に半透過性を有する膜を貼りつけたものであってもよい。
【００３４】
また、表示側ケース１１の内部には、筐体１４の振動を検出する振動検出手段である加速度センサ５２が設けられている。この加速度センサ５２は、例えば、携帯電話１０の使用者が、この携帯電話１０を把持したまま歩行する際に生じる特有の振動を検出する。
【００３５】
以上のような構成の携帯電話（携帯端末）の作用について説明する。本発明の携帯電話１０は、図４（ａ）に示す収納位置（待受状態）においては、反射ミラー１８は副表示部１７を覆う位置にある。この状態においては、撮像素子２１の光軸Ｒ１は、表示側ケース１１の他面（外面）１１ｂに対して垂直な方向に向いている。即ち、この状態において撮像素子２１を用いて撮像を行うと、表示側ケース１１の他面１１ｂに相対（対面）する方向の画像が記録される。
【００３６】
また、この収納位置においては、反射ミラー１８が半透過ミラーであるため、反射ミラー１８を介して副表示部１７の表示、例えば時刻表示などを見ることができる。
【００３７】
一方、図４（ａ）に示す収納位置から操作ツマミ１９を操作して反射ミラー１８を回転させ、図４（ｂ）に示す展開位置にすると、反射ミラー１８の表面Ｐは、撮像素子２１の光軸Ｒ１と所定の角度で交差する位置に置かれる。これにより、撮像素子２１の光軸Ｒ１は、反射ミラー１８の表面Ｐで所定の角度で屈折（反射）させられる。このため、撮像素子２１には、表示側ケース１１の他面（外面）１１ｂに対して所定の角度だけ傾いた方向からの外光Ｒ２が反射ミラー１８に入射し、表面Ｐで反射されて反射光Ｒ３として撮像素子２１に入射する。
【００３８】
これにより、図５に示すように、撮像素子２１は、表示側ケース１１の他面（外面）１１ｂに対して所定の角度傾斜した方向の画像Ｆを撮像することが可能になる。このように、反射ミラー１８を介して撮像した画像Ｆは、例えば、主表示部１６の表示領域全体ＥＡの一部に設定された動画表示領域Ｅ１において、連続した動画として表示させれば良い。
【００３９】
また、撮像素子２１に入射した光（画像）は、反射ミラー１８による反射によって反転し、また、傾斜した反射ミラー１８によって画像が歪んで入射するため、撮像素子２１で得られた画像データを画像処理部３７（図４参照）によって鏡象反転処理や歪み補正処理を行うことが好ましい。
【００４０】
このような携帯電話（携帯端末）１０は、例えば、使用者が歩行しながら携帯電話１０の画面閲覧や操作を行う際に、進行方向に対する注意を保つのに役立つ。図６に示すように、使用者１０１が携帯電話１０の主表示部１６（図１参照）を見ながら進行方向Ｇに向かって歩行する場面を想定する。使用者１０１が携帯電話１０の主表示部１６を見ながら歩行する場合、携帯電話１０の長手方向を水平面から斜め上に向けて把持するのが一般的である。この場合、使用者１０１の視線Ｄは進行方向Ｇよりも下向きに俯いた状態となり、進行方向に対する注意が疎かになりがちである。また、この状態で反射ミラー１８が収納位置（図４（ａ）参照）にある場合、撮像素子２１の光軸は斜め下方向、つまり地面を向いている。
【００４１】
しかしながら、使用者１０１が歩行しながら携帯電話１０を操作する際に、反射ミラー１８を展開位置（図４（ｂ）参照）にして連続して撮像を行うと、携帯電話１０の長手方向を水平面に対して斜め上に向けて把持していても、撮像素子２１の光軸は反射ミラー１８を介してほぼ水平方向になり、使用者１０１の進行方向Ｇの画像を撮像することが可能になる。
【００４２】
これによって、例えば、主表示部１６の電子メールなどが表示された領域Ｅ２の近傍に、使用者１０１の進行方向Ｇを撮像した動画をリアルタイムで表示（動画表示領域Ｅ１）し続ければ、使用者１０１の視線Ｄが進行方向Ｇよりも下向きに俯いた状態で携帯電話１０の画面を見ていても、進行方向Ｇに存在する歩行者１０２や自転車１０３の存在を確実にできる。これによって、使用者がＷｅｂの閲覧や電子メールの作成など行いながら、進行方向Ｇに対して俯いて歩行しても、進行方向に対する注意を保ちつつ、安全に画面の閲覧、および操作が可能となる。
【００４３】
なお、反射ミラー１８の展開位置における角度は、使用者１０１が携帯電話１０を把持する際の、水平面に対する一般的な把持角度に基づいて決められていれば良い。また、携帯電話１０の把持角度に応じて、使用者１０１の進行方向Ｇに向いた画像が正しく撮像素子２１に入射するように、反射ミラー１８をヒンジ１８ａ回りで付勢させずに、任意の角度で固定できるように構成しても良い。
【００４４】
また、使用者１０１が携帯電話１０を操作している状態で所定の振動、例えば携帯電話１０を把持したまま歩行する際に生じる特有の振動を加速度センサ５２（図４参照）で検知した際に、マイクロスイッチ５１によって反射ミラー１８が収納位置にあると判断されると、主表示部１６の警告表示領域Ｅ３に、操作ツマミ１９を操作するように促す表示を行うのが好ましい。これによって、使用者１０１が歩行中に携帯電話１０の操作を行った場合、確実に反射ミラー１８を展開位置に回動させ、進行方向Ｇの画像を主表示部１６に表示させるようにすることができる。
【００４５】
なお、主表示部１６の表示領域全体ＥＡにおける、それぞれの表示領域、即ち、動画表示領域Ｅ１、電子メールなどを表示する領域Ｅ２、警告表示領域Ｅ３は、それぞれ任意の位置に任意のサイズで設定されれば良く、限定されるものではない。また、電子メールなどを表示する領域Ｅ２のバックグラウンド（背景）として動画表示領域Ｅ１をオーバーラップ表示させるのも好ましい。
【００４６】
また、上述した携帯端末（携帯電話）は、表示側ケース１１と操作側ケース１２とがヒンジ１３によって回動可能に連結された、いわゆる折り畳み式の携帯電話を例示したが、これ以外にも、回動機構を有しない平板型の携帯端末や、表示側ケースと操作側ケースとが互いに平行移動可能な、いわゆるスライド式の携帯端末などにも、全く同様に適用可能であり、携帯端末の形状に限定されるものではない。
【００４７】
また、他の実施形態として、携帯電話の水平面に対する傾斜角度を検出する角度センサや、反射ミラーの角度を任意の位置に動かすミラー角度調整機構を更に備えることも好ましい。そして、使用者がこうした携帯電話を把持した際に、水平面に対する携帯電話の傾斜角度を検出し、この角度情報に基づいて、水平面に沿った方向からの光が常に撮像素子に入射するよう反射ミラーの角度を調整する。これにより、使用者により携帯電話の把持角度がどのような傾きに変化しても、撮像素子には、使用者の進行方向正面の画像が的確に捉えられ、これを主画面に表示させることが可能になる。
【００４８】
次に、上述した構成の携帯端末（携帯電話）の制御方法を説明する。図７は、本発明の携帯電話を歩行時に使用した場合の制御方法を段階的に示したフローチャートである。また、この図７の各工程の説明において、図４に示す携帯電話を構成の説明として併せて参照する。
本発明の携帯端末（携帯電話）は、使用者が操作するのを検出し（Ｓ１）、更に、歩行振動を検出（Ｓ２）する。携帯電話の操作としては、例えば、Ｗｅｂ画面の表示や電子メールの表示、入力などを操作状態と判断すれば良い。また、歩行振動を検出は、例えば、筐体１４の振動状態、即ち使用者が携帯電話１０を把持したまま歩行する際に、筐体１４に伝わる特有の振動を加速度センサ（振動検出手段）５２で検出し、歩行状態と判断すれば良い。
【００４９】
こうして、使用者が携帯電話を操作しつつ歩行状態にあると判断されると、次に、反射ミラー１８が副表示部１７を覆う収納位置（図４（ａ）参照）、即ち反射ミラー１８が撮像素子（撮像手段）２１の光軸Ｒ１上から退出した位置にあるかどうかを検出する（Ｓ３）。反射ミラー１８の位置検出は、マイクロスイッチ（位置検出手段）５１によって行えば良い。
【００５０】
ここで、反射ミラー１８が副表示部１７を覆う収納位置にあると判断されると、制御部３１（図３参照）は、主表示部１６の警告表示領域Ｅ３（図１参照）に、操作ツマミ１９を操作して反射ミラー１８を図４（ｂ）に示す展開位置まで移動させるよう促す表示（Ｍ１）を行う（Ｓ４）。この後、マイクロスイッチ５１が反射ミラー１８は収納位置に無いことを検出すると、主表示部１６上から表示（Ｍ１）を消去する（Ｓ５）。
【００５１】
次に、制御部３１（図３参照）は、撮像素子（撮像手段）２１が作動しているか（動画を撮像しているか）を判断する（Ｓ６）。そして、撮像素子２１が作動していないと判断されると、制御部３１は、主表示部１６の警告表示領域Ｅ３（図１参照）に、撮像素子（カメラ）を起動させる（撮像させる）よう促す表示（Ｍ２）を行う（Ｓ７）。なお、こうした撮像素子２１の動作を確認する工程は、反射ミラー１８を展開位置に移動させるとこれに連動して自動的に撮像素子２１による撮像を開始させる構成であれば、特に設けなくても良い。
【００５２】
この後、撮像素子２１が撮像を開始したことを検出すると、主表示部１６上から表示（Ｍ２）を消去するとともに、図１に示す主表示部１６の動画表示領域Ｅ１に撮像素子２１によって撮像した動画を、Ｗｅｂ画面の表示や電子メールの表示領域Ｅ２と並列して、連続して表示し続ける（Ｓ８）。なお、こうした動画表示領域Ｅ１は、主表示部１６の表示領域ＥＡの任意の位置に、任意のサイズで表示されれば良く、Ｗｅｂ画面の表示や電子メールの表示領域Ｅ２と並べて表示する以外にも、この表示領域Ｅ２と重ねて透過表示で動画表示領域Ｅ１を形成しても良い。
【００５３】
また、動画表示領域Ｅ１に表示させる動画は、撮像素子２１によって撮像された画像データを、画像処理部３７によって鏡象反転処理をしたり、画像の天地方向の歪み補正を施しなど、画像の補正を行ってから表示させるのも好ましい。
【００５４】
このように、歩行中に携帯電話１０の操作、画面を閲覧をした際に、使用者の進行方向の画像（動画）を主表示部１６にリアルタイムで表示させることによって、図６に示す使用者１０１の視線Ｄが進行方向Ｇよりも下向きに俯いた状態で携帯電話１０の画面を見ていたとしても、使用者１０１は、進行方向Ｇに存在する歩行者１０２や自転車１０３の存在を確実にできる。これによって、使用者１０１がＷｅｂの閲覧や電子メールの作成など行いながら、進行方向Ｇに対して俯いて歩行しても、進行方向Ｇに対する注意を保ちつつ、安全に画面の閲覧、および操作が可能となる。
【００５５】
使用者が携帯電話１０の操作や画面を閲覧を終了したことが検出されると（Ｓ９）、制御部３１（図３参照）は、警告表示領域Ｅ３（図１参照）に、撮像素子（カメラ）２１の撮像を停止し、反射ミラー１８を収納位置（図４（ａ）参照）まで戻すよう促す表示（Ｍ３）を行う（Ｓ１０）。
【００５６】
そして、マイクロスイッチ５１が反射ミラー１８が収納位置にあることを検出すると（Ｓ１１）、主表示部１６上から表示（Ｍ３）を消去する（Ｓ１２）。これにより、使用者が携帯電話１０の操作を終了した後、突出した反射ミラー１８を忘れずに収納位置に戻すことができる。
【図面の簡単な説明】
【００５７】
【図１】本発明の携帯端末（携帯電話）の使用時おける外観斜視図である。
【図２】本発明の携帯端末の待受時おける外観斜視図である。。
【図３】本発明の携帯端末の電気的な構成を示すブロック図である。
【図４】本発明の携帯端末の収納位置と展開位置における要部断面図である。
【図５】本発明の携帯端末による撮像の様子を示す斜視図である。
【図６】本発明の携帯端末の使用状況を示す説明図である。
【図７】本発明の携帯端末の制御方法の一例を示すフローチャートである。
【符号の説明】
【００５８】
１０  携帯電話（携帯端末）、１４  筐体、１６  主表示部（表示手段）、１７  副表示部（表示手段）、１８  反射ミラー（反射手段）、２１  撮像素子（撮像手段）３４  表示手段、Ｅ１  動画表示領域、Ｅ２  Ｗｅｂ画面の表示や電子メールの表示領域、Ｅ３  警告表示領域、ＥＡ  表示領域全体。
【図１】
2010109711.tif 000003
【図２】
2010109711.tif 000004
【図３】
2010109711.tif 000005
【図４】
2010109711.tif 000006
【図５】
2010109711.tif 000007
【図６】
2010109711.tif 000008
【図７】
2010109711.tif 000009